(57)【要約】      （修正有）【課題】  トップシートとメッシュシートとを貼着して形成された表面シートであって、体液通過性を阻害せず、かつ優れた接着強度を有する表面シートの製造方法を提供する。【解決手段】 トップシート及び複数の開孔を有するメッシュシートを貼着することにより形成されている表面シートと、外面側に配置されるバックシートと、これら両シート間に介在される吸収体とにより物品本体が構成されている吸収性物品の製造方法であって、表面シートを形成する際に、シートをＣＤ方向及び／又はＭＤ方向にずらして、開孔とシール部とが重ならないように位置調整をして貼着することにより表面シートを形成する。【選択図】図３
2006149457.tif 000002
【特許請求の範囲】
【請求項１】
少なくとも肌当接面側に配置され、トップシート及び複数の開孔を有するメッシュシートを貼着することにより形成されている表面シートと、外面側に配置されるバックシートと、前記両シート間に介在される吸収体とにより物品本体が構成されている吸収性物品の製造方法であって、前記メッシュシートを接着設備の手前にて、シートをＣＤ方向及び／又はＭＤ方向にずらして、前記開孔とシール部とが重ならないように位置調整をして、前記トップシートと貼着することにより前記表面シートを形成することを特徴とする吸収性物品の製造方法。
【請求項２】
前記表面シートは、接着剤を使用しない方法により貼着して形成されることを特徴とする請求項１に記載の吸収性物品の製造方法。
【請求項３】
前記吸収体の臀部当接位置に排泄物を収納保持する便ポケットである開口部が設けられており、該開口部は、前記表面シートで覆われていることを特徴とする請求項１又は請求項２に記載の吸収性物品の製造方法。
【請求項４】
前記開口部は、前記表面シートの前記メッシュシートのみで覆われていることを特徴とする請求項３に記載の吸収性物品の製造方法。
【請求項５】
前記位置調整は、シールパターンと、前記メッシュシートの前記開孔のパターンとが同じパターンであり、前記シールパターンのピッチを前記開孔パターンのピッチとずらすことにより行なわれることを特徴とする請求項１ないし請求項４のいずれかに記載の吸収性物品の製造方法。
【請求項６】
前記位置調整は、前記シールパターン及び前記開孔パターンを千鳥状にし、前記シールパターンのピッチを前記開孔パターンのピッチとずらすことにより行なわれることを特徴とする請求項１ないし請求項５のいずれかに記載の吸収性物品の製造方法。
【請求項７】
前記位置調整は、前記シールパターンのピッチを前記開孔パターンのピッチより１／２ピッチずらすことにより行なわれることを特徴とする請求項１ないし請求項６のいずれかに記載の吸収性物品の製造方法。
【請求項８】
前記シール部の直径は、前記メッシュシートの前記開孔の直径よりも小さいことを特徴とする請求項１ないし請求項７のいずれかに記載の吸収性物品の製造方法。
【請求項９】
請求項１ないし請求項８のいずれかに記載の吸収性物品の製造方法によって製造されることを特徴とする吸収性物品。
【発明の詳細な説明】
【技術分野】
【０００１】
本発明は、紙おむつ、生理用ナプキン等の吸収性物品の製造方法に関し、さらに詳細には、体液通過性及び接着強度に優れた表面シートを用いる吸収性物品の製造方法及びその方法により得られる吸収性物品に関する。
【背景技術】
【０００２】
吸収性物品、例えば使い捨て紙おむつ等は、通常、少なくとも肌当接面側に配置される透液性の表面シートと、外面側に配置される不透液性のバックシートと、これら両シート間に介在された吸収体とにより物品本体が構成されており、尿や便等の排泄物は、表面シートを介して吸収体に移行され、吸収保持されるようになっている。
【０００３】
また、従来より、肌への接触面積を低減させることにより湿り感を抑えて表面のドライ感を維持する、肌触り感を向上させる、体液の逆戻りを効果的に防止させるために、前記透液性の表面シートとしてメッシュシートを使用している吸収性物品や、透液性のトップシートにメッシュシートを貼り合わせたシートを使用している吸収性物品が提案されている。
【０００４】
トップシートにメッシュシートを貼り合わせたシートを表面シートとして使用する場合、両シートの貼り合わせは、ホットメルト接着剤等の接着剤を用いて貼着する方法が一般的である。
【０００５】
しかしながら、メッシュシートには多数の微細な開孔が設けられているため、上述したように接着剤を使用して貼着すると、開孔から接着剤が染み出して露出してしまうという問題があった。この結果、開孔から染み出した接着剤が、製造ライン上のロールや、フィードロール等の設備に接着し、巻き付いてしまい、操業性を低下させていた。
【０００６】
このような操業性の低下を防止するために、接着剤の塗布量を減らすと、トップシートとメッシュシートとの接着強度が低下し、表面シートのウェット強度が低下する等の品質低下の問題を引き起こしていた。
【０００７】
また、開孔から接着剤が染み出した表面シートが使用されると、着用者の皮膚に接着剤が付着し、皮膚炎や肌荒れを引き起こす可能性があると共に、着用者にペタペタとした不快な肌触り感を与えるという問題があった。
【０００８】
さらにまた、開孔から染み出した接着剤が乾燥することにより、メッシュシートの開孔が塞がれ、排泄物が吸収体へ通過しにくくなる、すなわち吸収性物品の体液通過性が損なわれ、この結果、排泄物が長時間、メッシュシート上に保水し、皮膚炎や肌荒れ等を引き起こすという問題もあった。特に、吸収性物品が生理用ナプキンである場合、紙おむつの場合に比べ、メッシュシートの開孔が小さいので、接着剤により開孔がより塞がりやすく、この問題はより顕著なものとなっていた。
【０００９】
また、上記ホットメルト接着剤等の接着剤による貼着方法以外にも、図２２に示すように、超音波やヒートシール等の熱融着による貼着も行なわれている。
【００１０】
しかしながら、熱融着による貼着（シール）の場合、図２２（Ａ）に表面シート１１０の拡大平面図で、図２２（Ｂ）に図２２（Ａ）のＸＸＩＩ−ＸＸＩＩ断面図で示すように、シール部１２６の径が、メッシュシート１１７の開孔１２５の直径より大きいため、メッシュシート１１７の開孔１２５がシール部１２６により塞がり、体液通過性が損なわれるという問題があった。
【００１１】
なお、この問題を解決するために、シール部１２６の径をメッシュシート１１７の開孔１２５の直径よりも小さくすることが考えられるが、この場合、メッシュシート１１７の開孔１２５とシール部１２６とが重なる箇所があり、この重なった箇所は接着されないため、トップシート１１６とメッシュシート１１７との接着力が低下し、品質低下の問題を引き起こしていた。
【発明の開示】
【発明が解決しようとする課題】
【００１２】
本発明は、上述したような実情に鑑みてなされたもので、その目的とするところは、トップシートとメッシュシートとを貼着して形成された表面シートであって、体液通過性を阻害せず、かつ優れた接着強度を有する表面シートを用いる吸収性物品の製造方法及びその方法により得られた吸収性物品を提供することにある。
【課題を解決するための手段】
【００１３】
本発明の上記目的は、少なくとも肌当接面側に配置され、トップシート及び複数の開孔を有するメッシュシートを貼着することにより形成されている表面シートと、外面側に配置されるバックシートと、前記両シート間に介在される吸収体とにより物品本体が構成されている吸収性物品の製造方法であって、前記メッシュシートを接着設備の手前にて、シートをＣＤ方向及び／又はＭＤ方向にずらして、前記開孔とシール部とが重ならないように位置調整をして前記トップシートと貼着して、前記表面シートを形成することを特徴とする吸収性物品の製造方法を提供することによって達成される。
【００１４】
また、本発明の上記目的は、前記表面シートは、接着剤を使用しない方法により貼着して形成されることを特徴とする吸収性物品の製造方法を提供することによって、効果的に達成される。
【００１５】
また、本発明の上記目的は、前記吸収体の臀部当接位置に排泄物を収納保持する便ポケットである開口部が設けられており、該開口部は、前記表面シートで覆われていることを特徴とする吸収性物品の製造方法を提供することによって、効果的に達成される。
【００１６】
また、本発明の上記目的は、前記開口部は、前記表面シートの前記メッシュシートのみで覆われていることを特徴とする吸収性物品の製造方法を提供することによって、より効果的に達成される。
【００１７】
また、本発明の上記目的は、前記位置調整は、シールパターンと、前記メッシュシートの前記開孔のパターンとが同じパターンであり、前記シールパターンのピッチを前記開孔パターンのピッチとずらすことにより行なわれることを特徴とする吸収性物品の製造方法を提供することによって、より効果的に達成される。
【００１８】
また、本発明の上記目的は、前記位置調整は、前記シールパターン及び前記開孔パターンを千鳥状にし、前記シールパターンのピッチを前記開孔パターンのピッチとずらすことにより行なわれることを特徴とする吸収性物品の製造方法を提供することによって、より効果的に達成される。
【００１９】
また、本発明の上記目的は、前記位置調整は、前記シールパターンのピッチを前記開孔パターンのピッチより１／２ピッチずらすことにより行なわれることを特徴とする吸収性物品の製造方法を提供することによって、より効果的に達成される。
【００２０】
また、本発明の上記目的は、前記シール部の直径は、前記メッシュシートの前記開孔の直径よりも小さいことを特徴とする吸収性物品の製造方法を提供することによって、より一層効果的に達成される。
【００２１】
さらにまた、本発明の上記目的は、上記に記載の製造方法により得られる吸収性物品を提供することによって、より一層効果的に達成される。
【発明の効果】
【００２２】
本発明に係る吸収性物品の製造方法によれば、トップシート及び複数の開孔を有するメッシュシートを貼着して表面シートを形成する際に、メッシュシートを接着設備の手前にて、シートをずらして、メッシュシートの開孔とシール部とが重ならないように位置調整をしてトップシートと貼着することにより、メッシュシートの開孔が塞がることを防止することができるので、体液通過性を阻害することを防止することができると共に、シール部は、メッシュシートの非開孔部とトップシートとの間に位置するようになるので、表面シートの接着強度を向上させることができる。従って、このような表面シートを使用すると、吸収性物品の着用感を向上させることができる。
【００２３】
また、トップシートとメッシュシートとを貼着して表面シートを形成する際に、接着剤を使用しない方法により貼着して形成することによって、操業性を向上させることができる。
【００２４】
また、吸収体の臀部当接位置に便ポケットである開口部を設けることによって、便ポケットに排泄物（特に軟便の固形分）を収納保持することができ、この開口部を表面シートで覆うことによって、便ポケットに収納保持されている排泄物が、着用者の肌に当接することを防止することができるので、皮膚炎や肌荒れの発生を防止することができる。また、表面シートで便ポケットを覆うことによって、排泄物が吸収性物品の肌当接面上に逆戻りすることを防止することができるので、着用者の体圧等により吸収性物品が所定の位置からずれたとしても、排泄物が表面シート上に広がることがなくなり、着用者の臀部を常に清潔に保つことができるので、皮膚炎やカブレの発生を防止することができると共に、排泄物が物品本体から漏れ出ることを防止することができるので、被着用者にとっては、吸収性物品の後処理が楽になる。
【００２５】
また、便ポケットの開口部を、表面シートのメッシュシートのみで覆うことによって、排泄物が吸収体に移行する速度を向上させることでき、体液通過性をより向上させることができる。
【００２６】
また、シールパターン及びメッシュシートの開孔パターンを同じパターンとし、シールパターンのピッチを開孔パターンのピッチとずらして位置調整を行なうことによって、容易かつ正確に位置調整を行なうことができる。
【００２７】
また、シールパターン及び開孔パターンを千鳥状にし、シールパターンのピッチを開孔パターンのピッチとずらして位置調整を行なうことによって、シートのＣＤ方向及びＭＤ方向の接着面積が一定となるので、表面シートの接着強度、すなわちメッシュシートとトップシートとの接着強度を一定とすることができると共に、表面シートにおいて、接着面積を大きくすることができるので、接着強度を向上させることができる。
【００２８】
また、位置調整は、シールパターンのピッチを開孔パターンのピッチより１／２ピッチずらして行なうことによって、ＣＤ方向及びＭＤ方向の接着面積が一定となるので、表面シートの接着強度を一定とすることができる。
【００２９】
また、シール部の直径を、メッシュシートの開孔の直径よりも小さくすることにより、表面シートを形成する際に、メッシュシートの開孔とシール部とが重なっても、開孔が完全に塞がることがないので、体液通過性や通気性が阻害されることがなくなり、肌荒れやカブレの発生がより少ない吸収性物品を製造することができる。
【発明を実施するための最良の形態】
【００３０】
以下、本発明の内容を、吸収性物品がテープ式の使い捨て紙おむつである場合を例に、図面を参照しながら詳細に説明する。なお、本発明は必ずしも以下の実施例に限定されるものではなく、特許請求の範囲を逸脱しない範囲において、その構成を適宜変更できることはいうまでもない。
【００３１】
図１は、本発明に係る製造方法により製造された吸収性物品の一実施形態である使い捨てのテープ式の紙おむつ（以下、「本紙おむつ」という）１０を展開して肌当接面側から見た一部破断平面図であり、図２は図１のＩ―Ｉ断面図である。
【００３２】
図１に示すように、本紙おむつ１０は、肌当接面側（表面側）に配置される表面シート１１と、外面側（非肌当接面側）に配置されるバックシート１２と、これら両シート１１，１２間に介在され、クレープ紙等の吸水紙１３で全体が被覆された吸収体１４とにより、平面形状が擬似砂時計形状に形成されたおむつ本体１５が構成されている。ここで、本紙おむつ１０に使用される表面シート１１とは、トップシート１６及びメッシュシート１７を貼着することにより形成されたシートであり、図２に示すように、トップシート１６の上面に、矩形状のメッシュシート１７がおむつ本体１５の長手方向に延びて貼着されて形成されている。
【００３３】
また、おむつ本体１５の吸収体１４の両側縁長手方向には、肌当接面側に設けられたギャザーシート１８と、その内側端縁に沿って配設された弾性伸縮部材１９ｇとにより肌当接面側に起立する立体ギャザー２０が形成されている。
【００３４】
また、本紙おむつ１０は、互いに対向しておむつ本体１５の長手方向へ延びる側縁部１０ＳＦと、互いに対向しておむつ本体１５の幅方向へ延びる端縁部１０ＥＦとを有しており、この両側縁部１０ＳＦ，１０ＳＦには複数本の脚周り用の弾性伸縮部材１９ｌを配設しており、また両端縁部１０ＥＦ，１０ＥＦには、複数本の腰周り用の弾性伸縮部材１９ｗを配設している。また、おむつ本体１５の長手方向には、前身頃１０ＦＰと、後身頃１０ＢＰと、この前後身頃１０ＦＰ，１０ＢＰの間には脚周り部１０ＬＯとを有しており、後身頃１０ＢＰにおける左右両側縁部の端部１０ＳＰには、公知の種々のオス材２１を備えたファスニングテープ２２が連結されている。さらにまた、おむつ本体１５の外面側の前身頃１０ＦＰ、すなわち前身頃１０ＦＰのバックシート１２には、表面にメス材（図示せず）を有する矩形状のフロンタルテープ２３が貼着されており、ファスニングテープ２２のオス材２１がこのフロンタルテープの２３メス材とメカニカルに係合することにより本紙おむつ１０が着用される。
【００３５】
なお、本紙おむつ１０では、バックシート１２と吸収体１４との間に防水フィルム２４が配設されているが、この防水フィルム２４は、表面シート１１と吸収体１４との間に配設されるセカンドシートの場合と同様に、必要に応じ、適宜設けられるものである（なお、本紙おむつ１０ではこのセカンドシートは配設されていない）。
【００３６】
図３は、本紙おむつ１０で使用される表面シート１１の拡大図である。すなわち、図３（Ａ）は、表面シート１１の上面図であり、図３（Ｂ）は、図３（Ａ）のＩＩＩ―ＩＩＩ断面図である。図示し、また上述したように表面シート１１は、トップシート１６とメッシュシート１７とを貼着することにより形成されている。このように排尿及び排便が最も流れる領域である表面シート１１が、トップシート１６及びメッシュシート１７により２重に形成されているので、この領域の強度が向上するという利点がある。
【００３７】
本紙おむつ１０で使用されるトップシート１６の形成材料として、無孔又は有孔の不織布や多孔性プラスチックシート等の、透液性ないし親水性、あるいは撥水性の材料が好ましく用いられる。このような不織布を構成する素材繊維としては、例えばポリエチレン又はポリプロピレン等のオレフィン系、ポリエステル系、アミド系等の合成繊維の他、レーヨンやキュプラ等の再生繊維、綿等の天然繊維とすることができる。また、融点の高い繊維を芯とし、融点の低い繊維を鞘とした芯鞘型繊維やサイド・バイ・サイド型繊維、分割型繊維等の複合繊維も効果的に用いることができる。加工法については、スパンレース法、スパンボンド法、サーマルボンド法、メルトブローン法、ニードルパンチ法等の適宜な加工方法で得られた不織布を用いることができる。これらの加工法のうち、スパンレース法は柔軟性、ドレープ性に富む点で優れ、サーマルボンド法は嵩高でソフトである点で優れているが、本紙おむつ１０におけるトップシート１６は、必ずしもこれらの材料ないし加工法に限定されるものではない。
【００３８】
また、トップシート１６の表面には、エンボス加工（図示せず）が施されていても良い。なお、ここにいうエンボス加工は、トップシート１６が吸収体１４と組み合わされる前の工程で施されるもので、吸収体１４の変形はないものである。
【００３９】
本紙おむつ１０で使用されるメッシュシート１７は、厚さが０．１〜５．０ｍｍ、好ましくは０．３〜２．０ｍｍのシートであり、体液通過性を付与するために、多数の微細な開孔２５が連続網目状に形成されている。また、メッシュシート１７の開孔率は１５〜３０％、好ましくは１８〜２０％であり、その開孔数は１５個／ｃｍ２以下、好ましくは６〜１２個／ｃｍ２とすることが好ましい。また、この開孔２５の大きさは、直径が０．１〜１０．０ｍｍ、好ましくは０．１５〜５．５ｍｍに設定されている。
【００４０】
上述したような開孔２５を形成するには、メッシュシート１７を軟化温度付近まで軟化させて、多数の開孔を有する支持体の上面に位置させた状態で、支持体の下方から吸引したり、支持体の上面から空気圧を加圧したりする方法や、シート素材に多数のスリットを刻印した後に、シート素材を延伸して開孔させるピッチエンボス加工等、公知の種々の方法によって形成することができる。
【００４１】
なお、このメッシュシート１７の開孔２５の形状は、図３に示すような平面形状で円形のものに限らず、この他、矩形、楕円形、三角形、星型等、公知の種々の形状とすることができるが、これらの中でも特に、楕円形等の角のない形状であると、メッシュシート１７の肌触り感が柔らかくなり、これに伴って表面シート１１の肌触り感も柔らかくなるので好ましい。
【００４２】
なお、このメッシュシート１７の形成材料としては、例えばポリエチレン又はポリプロピレン等のオレフィン系の熱可塑性樹脂フィルムが好適に使用されるが、ポリエステル、ナイロン等のポリアミド系樹脂や、酢酸ビニル共重合体等のシート等も使用することができ、さらにまた、これらの内の２以上の素材をラミネートして貼り合わせた複層構造のシート等も使用することができる。
【００４３】
また、メッシュシート１７の表面の親水性についてはレギュラー親水性ないし撥水性であることが好ましく、親水度が高過ぎると排泄物、特に軟便の水分が表面に拡散してしまうため、便の固形分は吸収されていても水分の広がりが着用者の表面に見えてしまい、不快感を与えるので好ましくない。
【００４４】
本紙おむつ１０に使用される表面シート１１は、上述したようにトップシート１６とメッシュシート１７とが貼着されて形成されるが、その貼着方法は、ホットメルト等の接着剤を使用しない方法であれば、例えばヒートシール、超音波による熱融着、あるいはハンマーシール、オスメスエンボスロールによる圧着等、公知の種々の接着方法を用いて製造することができる。このように表面シート１１が、接着剤を使用する方法以外の方法によりトップシート１６とメッシュシート１７とを貼着して形成されると、接着剤がメッシュシート１７の開孔２５から染み出すことがなくなるので、ロールやフィードロール等の製造設備上にラインが巻き付くことがなくなり、操業性が向上する。
【００４５】
さらにまた、熱融着によって貼着される場合、表面シート１１は、トップシート１６及びメッシュシート１７のそれぞれの繊維が溶融することによって、両シート１６，１７が貼着されて製造されるが、繊維が溶融し、両シートが接着されている部分は体液を通過させることができなくなるため、体液が吸収体１４に移行する速度が低下し、体液が表面シート１１上に保水してしまう。従って、熱融着以外の方法、例えば圧着により貼着されることがより好ましい。
【００４６】
従って、表面シート１１を形成する際には、メッシュシート１７の開孔２５とシール部２６とが重ならないように両シート１６，１７が貼着されることが好ましい。開孔２５とシール部２６とが重なった箇所は体液通過性や通気性が悪く、この結果、肌荒れや皮膚炎が発生したり、ムレが生じてしまい、着用者に不快感を与えてメッシュシート１７としての役割を果たさなくなってしまう。また、開孔２５とシール部２６とが重なった箇所は、実質的に接着されないため、トップシート１６とメッシュシート１７との接着力が低下するという問題もある。
【００４７】
そこで、本発明に係る製造方法は、表面シート１１を、メッシュシート１７を接着設備の手前にて、メッシュシート１７をずらして、メッシュシート１７の開孔２５とシール部２６とが重ならないように位置調整をしてトップシートと貼着して形成している。すなわち、製造ライン上のエンボスロール等の接着設備の手前で、ウェブガイド等によりメッシュシート１７を幅方向（ＣＤ方向）にずらして、メッシュシート１７の開孔２５と接着設備の接着部（例えばエンボス部）とが重ならないように位置調整を行ない、その後、トップシート１６とメッシュシート１７とを貼着して表面シート１１を形成する。
【００４８】
このとき、メッシュシート１７の開孔２５の配列パターン（以下、「開孔パターン」と言う。）と、シール部２６の配列パターン（以下、「シールパターン」と言う。）とが同じパターンであると、上述した位置調整を容易かつ正確に行なうことができるので好ましい。
【００４９】
また、シールパターンのピッチＰ１と開孔パターンのピッチＰ２とが同じピッチ（すなわちＰ１＝Ｐ２）であると、上述した位置調整をより容易に行なうことができるようになり、メッシュシート１７の開孔２５とシール部２６とが重なることがなくなる。従って、体液通過性や通気性が阻害されることがなく、またシール部２６は必ずメッシュシート１７の非開孔部と接触し、接着されるので、安定した接着強度を有する表面シート１１を形成することができ、着用感の優れた紙おむつ１０を製造することができる。
【００５０】
また、図３（Ａ）に示すように、位置調整をシールパターンのピッチＰ１を開孔パターンのピッチＰ２より１／２ピッチずらして行なうことによって、表面シート１１におけるＣＤ方向及びＭＤ方向（長手方向）の接着面積が一定となるので、表面シート１１、すなわちトップシート１６とメッシュシート１７との接着強度が一定とすることができる。
【００５１】
さらにまた、シール部２６の直径ｄ１が、メッシュシート１７の開孔２５の直径ｄ２以下であることが好ましい。すなわちｄ１≦ｄ２であると、図４（Ａ）に表面シート１１ａの上面図で、図４（Ｂ）に図４（Ａ）のＩＶ−ＩＶ断面図で示すように、シールパターンのピッチＰ１と開孔パターンのピッチＰ２とが異なり、トップシート１６とメッシュシート１７とを貼着した際に、メッシュシート１７の開孔２５とシール部２６とが重なっても、メッシュシート１７の開孔２５が完全に塞がることがない。従って、体液通過性や通気性が阻害されることが少なくなり、排泄物が吸収体１４へ移行し易くなるので、着用者の皮膚に肌荒れやカブレ等の発生を防止した紙おむつを製造することができる。
【００５２】
なお、図３では、シールパターンのピッチＰ１を、開孔パターンのピッチＰ２より、シートのＣＤ方向に１／２ピッチずらしているが、本発明では、メッシュシート１７の開孔２５がシール部２６により完全に塞がることがなければ、例えば図５（Ａ）に表面シート１１ｂの上面図で、図５（Ｂ）に図５（Ａ）のＶ−Ｖ断面図で示すように、シートのＣＤ方向に１／３ピッチずらしても、同様の効果を得ることができる。
【００５３】
また、開孔パターンは、柔らかい肌触り感を得る目的で、図３（Ａ）に示すように、ドットパターンであるものが好ましいが、この他、例えば図６に表面シート１１ｃの上面図で示すような線状の開孔パターン等であっても良い。
【００５４】
さらにまた、シールパターンについても、特に限定されるものではないので、図３に示すような不連続のドットのパターンに限らず、この他、図６に示すような線状のシールパターンとすることもできる。しかしながら、不連続なドットパターンである方が、メッシュシート１７の開孔２５を塞ぐことが少なく、また一定の接着強度を維持することができるので好ましい。
【００５５】
また、図７に表面シート１１ｄの上面図で示すように、メッシュシート１７の開孔２５とシール部２６とが重ならなければ、シールパターンのピッチＰ１を、メッシュシート１７の開孔２５のピッチＰ２より、シートのＭＤ方向に１／２ピッチずらしても形成したものを用いて紙おむつ１０を製造しても良く、さらにまた、図８に表面シート１１ｅの上面図で示すように、シールパターンのピッチＰ１を、開孔パターンのピッチＰ２より、シートのＭＤ方向に１／４ピッチずらして形成したものを用いて紙おむつ１０を製造しても良い。さらにまた、図示しないが、メッシュシート１７の開孔２５とシール部２６とが重ならなければ、シールパターンのピッチＰ１を開孔パターンのピッチＰ２より、シートのＣＤ方向及びＭＤ方向にそれぞれ１／２ピッチずらす等して形成された表面シートを用いて紙おむつを製造しても良い。
【００５６】
さらにまた、図９に表面シート１１ｆの上面図で示すように、シールパターン及び開孔パターンを千鳥状にし、開孔２５とシール部２６とが重ならないように、トップシート１６とメッシュシート１７とを貼着して形成された表面シート１１を用いて、紙おむつ１０を製造しても良い。このようにシールパターン及び開孔パターンを千鳥状とすることによって、シートのＣＤ方向及びＭＤ方向の接着面積が同一となり、表面シート１１の接着強度が一定とすることができると共に、表面シート１１における接着面積を大きくすることができるので、接着強度をより向上させることができる。
【００５７】
また、メッシュシート１７の開孔２５の形状と、シールパターンの形状は、必ずしも同一形状である必要はなく、例えば図１０に表面シート１１ｇの上面図で示すように、メッシュシート１７の開孔２５の形状は星型、シールパターンは楕円形にする等、異なる形状であっても良い。
【００５８】
排泄物は、表面シート１１を通り、吸収体１４に移行し保持されるが、上述したように形成された表面シート１１を用いて紙おむつ１０を製造すると、紙おむつ１０の体液通過性や通気性が阻害されることがないので、排泄物が吸収体１４に移行し易くなり、表面シート１１上に保水することがなくなり、皮膚炎や肌荒れの発生を防止することができる。
【００５９】
また、表面シート１１のメッシュシート１７によって、排泄物が肌当接面に逆戻りすることを防止することができるので、着用者の体圧や動き等により本紙おむつ１０が所定の位置からずれたとしても、排泄物が肌当接面に広がることがなくなり、着用者の臀部をより清潔に保つことができ、これにより皮膚炎やカブレの発生をより防止することができる。さらにまた、排泄物がおむつ本体１５から漏れ出ることの防止にもつながり、被着用者にとっても、おむつの後処理が楽になる。
【００６０】
なお、本紙おむつ１０のバックシート１２及び防水フィルム２４には、ポリエチレン、ポリプロピレン等のプラスチックシートや不織布等から成る不透液性材料、又はこれと同等の材料が好ましく用いられる。この他、例えばポリプロピレン又はポリオレフィンコポリマーから成るメルトブローン又はフィルム材料が挙げられる。コポリマーの例としては、エチレン・ビニル・アセテート、エチレン・メチル・アセテート、エチレン・エチル・アクリレート、ポリビニル・クロライド等がある。また、上記各材料から成る単一のスパンボンディッド層、スパンボンディッド及びメルトブローン材料から成る２つの層等が挙げられる。このようなスパンボンディッド材料を用いることによりバックシート１２等に布状の手触り感を与えることができる。なお、バックシート１２等の材料には、不透液性を有する材料以外に、ムレ防止等の観点から通気性、透湿性を有するシート材料が適用される。このようなシート材としては、ポリエチレンやポリプロピレン等のオレフィン系樹脂中に無機充填剤を溶融混練してシートを成形した後、一軸又は二軸方向に延伸することにより得られる微多孔性シートが好適に用いられる。このように不透液性、通気性、透湿性を有するシート材料は特に防水フィルムに好適に用いられる。
【００６１】
また、吸収体１４としては、排泄物（特に尿や便に含まれる水分等の体液）を吸収保持し得るものであればよく、通常はフラッフ状パルプ中に吸収性ポリマー粉末を混在したものが吸収機能及び価格の点から好適に用いられる。また、パルプとしては、木材から得られる化学パルプ、溶融パルプ等のセルロース繊維や、レーヨン、アセテート等の人工セルロース繊維から成るものが挙げられ、広葉樹パルプよりは繊維長の長い針葉樹パルプの方が機能及び価格の面で好適に使用される。本紙おむつ１０における吸収体１４は、形状保持に優れ、また排泄物（特に尿や便に含まれる水分等の体液）を速やかに拡散させると共に、一旦吸収した排泄物の逆戻りを防止する目的で全体がクレープ紙等の吸水紙１３によって被覆されており、平面形状がおむつ本体１５と同様に擬似砂時計状に形成されている。なお、おむつ自体の目的や用途により、吸水紙１３は省略しても良く、また、吸収体１４の平面形状も小判型あるいは瓢箪型等の任意の形状に設計変更される。
【００６２】
また、本発明に係る製造方法により製造される吸収性物品が生理用ナプキンである場合、表面シート１１のメッシュシート１７の開孔２５は、直径を０．０５〜２．０ｍｍ、好ましくは０．１〜１．０ｍｍとし、その開孔２５の数を２００〜６００個／ｃｍ２と小さくすることが好ましいが、このように開孔２５が小さなメッシュシート１７であっても、上述したように表面シート１１を形成することによって、従来のように開孔２５が完全に塞がることがない。従って、このように形成された表面シート１１は、体液通過性や通気性が阻害されることがなく、また接着強度が強いので、この表面シート１１を用いて製造された生理用ナプキンは、着用感に非常に優れたものとなる。
【００６３】
以上、本発明の内容を一実施形態について説明したが、本発明はその構成を以下のように変更することができる。
【００６４】
図１１は、本発明に係る製造方法により製造された吸収性物品の第２実施形態であるパンツ型の紙おむつを展開して肌当接面側から見た一部破断平面図であり、図１２は、図１１に示す紙おむつの着用時における斜視図であり、図１３は図１１のＸＩ−ＸＩ断面図である。
【００６５】
図１１ないし図１３に示されるように、本実施形態に係るパンツ型の紙おむつ（以下、「本紙おむつ」と言う。）１０′は、表面シートの製造方法及び吸収体の構成を除くその他の構成は、上述した紙おむつ１０と実質的に同一であるので、以下では対応する構成要素には同一の符号を付し、その説明を省略する。
【００６６】
すなわち、本紙おむつ１０′は、図示するように、肌当接面側に配置される表面シート１１′と、外面側に配置されるバックシート１２と、これらの両シート１１′，１２間に介在され、その全体がクレープ紙等の吸水紙１３で被覆されて成る吸収体１４′とにより、平面形状が擬似砂時計状とされたおむつ本体１５が構成されている。
【００６７】
本紙おむつ１０′に使用される吸収体１４′には、おむつ本体１５の臀部当接位置、具体的には、おむつ本体１５の後身頃１０ＢＰと脚周り部１０ＬＯとの間の着用者の排便口が当接する位置に、排泄物（特に軟便）を収納保持することが可能な開口部３０である便ポケット３１が設けられている。このように吸収体１４′に便ポケット３１が設けられていると、便ポケット３１に排泄物を収納保持することで、その広がりを防止することができ、着用者の肌を徒らに汚すことがなくなるので、着用者の臀部を清潔に保つことができ、肌荒れや皮膚炎の発生をより軽減することができる。
【００６８】
また、本紙おむつ１０′は、便ポケット３１の幅Ｗ１よりも広く、かつ吸収体（トップシート）１４′の幅Ｗ２よりも狭い幅Ｗを有するメッシュシート１７、すなわち少なくとも便ポケット３１を覆うことができる幅Ｗであるメッシュシート１７が、トップシート１６の上面に、おむつ本体１５の長手方向に延びて貼着されて形成された表面シート１１′を用いて製造されている。従って、メッシュシート１７の幅Ｗが少なくとも便ポケット３１を覆うことができる幅であるので、メッシュシートの使用面積、すなわち使用量を少なくすることができ、吸収性物品の製造コストを低くすることができる。
【００６９】
なお、この表面シート１１′も、図１４に本紙おむつ１０′を展開して肌当接面側から見た部分拡大平面図で示すように、上述した表面シート１１と同様、トップシート１６の幅方向における略中央部にメッシュシート１７を載置して、メッシュシート１７の開孔２５と、シール部２６とが重なり開孔２５が塞がることがないように、両シート１６，１７を貼着して形成されている。
【００７０】
従って、体液通過性や通気性が阻害されることがなく、安定した接着強度を有する表面シート１１′を形成することができると共に、メッシュシート１７の使用量が減少した分だけ、本紙おむつ１０′の製造コストを低減することができるという利点がある。
【００７１】
上述したように排泄物は、表面シート１１′を通り、すなわちメッシュシート１７の開孔２５からトップシート１６を通り、吸収体１４′に移行し、排泄物に含まれる水分は、吸水紙１３を介して吸収体１４′に吸収保持され、排泄物の固形分は便ポケット３１に収納保持される。このとき、表面シート１１′が便ポケット３１を覆うように設けられているので、便ポケット３１に収納保持されている排泄物が、着用者の皮膚に直接当たることを防止することができ、皮膚炎や肌荒れの発生を防止することができる。
【００７２】
また、表面シート１１′に設けられたメッシュシート１７によって、一旦便ポケット３１に収納保持された排泄物が、表面シート１１上に逆戻りすることを防止することができる。従って、着用者の動きや体圧等により、紙おむつが所定の位置からずれたとしても、排泄物が表面シート１１′上に広がることがなく、着用者の臀部を常に清潔に保つことができ、皮膚炎やカブレの発生を激減させることができる。また、排泄物がおむつ本体１５から漏れ出ることを防止することができるので、被着用者にとっては、おむつの後処理が楽になる。
【００７３】
なお、吸収体１４′の便ポケット３１の平面形状は、図１１に示すような矩形のものに限られるものではなく、この他、例えば図１５（Ａ）に示すような平面形状が楕円形、図１５（Ｂ）に示すような背部側に向かって広がっている扇形、図１５（Ｃ）に示すようなホームベース形状、図１５（Ｄ）に示すような背部側に向かって広がったハート形等、公知の種々の形状とすることができる。これらの中でも特に、便ポケット３１の平面形状が、図１５（Ｂ）〜図１５（Ｄ）に示すような背部側に向かって広がった末広がり状であると、吸収体１４′に皺やヨレが生じることがなく、また排泄物（特に軟便）が排便口から背部側に向けてスムーズに流れるようになり、表面シート１１′上に逆戻りすることがより減少するのでより好ましい。
【００７４】
また、吸収体１４′の便ポケット３１の断面形状も、図１３に示すような矩形のものに限られるものではなく、この他、例えば図１６（Ａ）に示すような、略台形、すなわち表面シート１１′側に向かって末広がり状等、公知の種々の形状とすることができる。
【００７５】
また、開口部３０の構造も、図１３に示すような、吸収体１４′に設けられた凹部形状のものに限らず、この他、例えば図１６（Ｂ）に示すように、吸収体１４′に透孔３２を設け、この透孔３２をその下側からバックシート１２及び／又は防水フィルム２４で塞ぐことにより形成されたもの、さらにまた、図１６（Ｃ）に示すように、吸収体１４′を上層コア１４′Ｕ及び下層コア１４′Ｌの２層で構成し、上層コア１４′Ｕには透孔３３が設けられており、この透孔３３をその下側から下層コア１４′Ｌで塞ぐことによって形成されたもの等、公知の種々の構造とすることができる。
【００７６】
なお、本紙おむつ１０′は、図１１に示すように、必ずしもメッシュシート１７をおむつ本体１５の長手方向に延ばして、トップシート１６の上面に貼着して形成された表面シート１１′を用いて製造する必要はなく、例えば図１７に本紙おむつ１０′の変更例に係るパンツ型の紙おむつ１０′（ａ）を肌当接面側から見た簡略上面図で示すように、少なくとも便ポケット３１を覆うことができる面積であるメッシュシート１７を、トップシート１６の上面で、便ポケットを覆うように貼着して形成した表面シート１１′（ａ）を用いて製造しても良い。
【００７７】
すなわち、本紙おむつ１０′（ａ）は、少なくとも便ポケット３１を覆うことができる面積である、すなわち便ポケット３１と略同じ大きさ及び形状に形成されたメッシュシート１７を、トップシート１６の上面で、かつ便ポケット３１に相当する位置に載置して、メッシュシート１７の開孔２５とシール部２６とが重ならないように貼着することにより形成された表面シート１１′（ａ）を用いて製造しても良い。
【００７８】
このような表面シート１１′（ａ）であっても、メッシュシート１７の開孔２５が塞がることがないので、体液通過性や通気性が阻害されることがなくなり、またメッシュシート１７の使用量を必要最小限とすることができるので、本紙おむつ１０′（ａ）の製造コストをより低減することができる。
【００７９】
なお、この表面シート１１′（ａ）に使用されるメッシュシート１７は、少なくとも便ポケット３１を覆うことができる大きさ及び形状であれば、図示するように、メッシュシート１７の形状及び便ポケット３１の形状を同一の形状とする必要はなく、この他、例えばメッシュシート１７を矩形状、便ポケット３１をホームベース状とする等、異なる形状を組み合わせても良い。
【００８０】
さらにまた、本発明は、その構成を以下のように変更することができる。
【００８１】
図１８は、本発明に係る製造方法により製造された吸収性物品の第３実施形態である失禁者用パッド（以下、「本パッド」と言う。）１０′′の着用時における斜視図であり、図１９は、図１８のＸＶＩＩＩ−ＸＶＩＩＩ断面図であり、図２１は、本パッド１０′′を肌当接面側から見た要部拡大上面図である。なお、本パッド１０′′は、その基本的な構成は、表面シート１１′′の構成を除くその他の構成は、上述した紙おむつ１０′と実質的に同一なものであるので、以下では対応する構成要素には同一の符号を付し、その説明を省略する。
【００８２】
本パッド１０′′は、上述した紙おむつ１０′（ａ）と同様に、メッシュシート１７が便ポケット３１の開口部３０だけを覆うことができる程度の面積に形成されているが、前記紙おむつ１０′と異なる点は、図１９に示すように、この開口部３０の上方に位置するトップシート１６′′にもこの開口部３０と略同等形状の開孔３４が形成されており、この開孔３４を覆うようにしてメッシュシート１７が貼着されて形成された表面シート１１′′が用いられている点である。
【００８３】
すなわち、本紙おむつ１０′′は、図２１に示すように、少なくとも便ポケット３１を覆うことができる面積、すなわち便ポケット３１と略同じ大きさに形成されたメッシュシート１７を、トップシート１６′′の便ポケット３１の上方の位置に形成された開孔３４を覆う位置に載置して、メッシュシート１７の開孔２５とシール部２６とが重ならないように貼着して形成された表面シート１１′′を用いて製造されている。
【００８４】
従って、本パッド１０′′は、メッシュシート１７の開孔２５を塞ぐことがないので、体液通過性を阻害することがない。また、便ポケット３１の開口部３０がメッシュシート１７だけで覆われた構造となっているので、排泄物が、メッシュシート１７を通過して、トップシート１６′′を介さずに、吸収体１４′の便ポケットに収納保持されるので、排泄物の移行速度を向上させることができ、より体液通過性を向上させることができるという利点がある。
【００８５】
また、本パッド１０′′は、さらに以下のようにその構成を変更することもできる。
【００８６】
図２１は、本パッド１０′′の変更例に係る吸収性物品であるパッド（以下、「本パッド」と言う。）１０′′（ａ）の幅方向の断面図であり、その基本的な構成は、上述した紙おむつ１０′，パッド１０′′と実質的に同一であるので、以下では対応する構成要素には同一の符号を付し、その説明を省略する。
【００８７】
すなわち、表面シート１１′′（ａ）は、上述した吸収性物品と同様に、吸収体１４′の便ポケット３１の開口部３０だけを覆うことができる程度の面積に形成されたメッシュシート１７が、トップシート１６の上面で、便ポケット３１の上方の位置に貼着されて製造されているが、上述したパッド１０′′と異なる点は、図２１に示すように、便ポケット３１の表面にトップシート１６が、便ポケット３１に沿うように貼着され、メッシュシート１７のみで便ポケット３１を覆うことができるように製造されている点である。
【００８８】
このような表面シート１１′′（ａ）であっても、上述したように、メッシュシート１７の開孔２５とシール部２６とが重ならないように貼着することにより、メッシュシート１７の開孔２５が塞がることがないように製造することができる。従って、体液通過性や通気性が阻害されることがなくなると共に、便ポケット３１の底部にトップシート１６が位置するので、便ポケット３１に移行した排泄物のうち、特に尿や軟便の水分等の体液の拡散性が向上する。
【産業上の利用可能性】
【００８９】
以上、本発明の内容を幼児用あるいは大人用のテープ式の使い捨ておむつについて説明したが、本発明は、このようなテープ式の使い捨ておむつに限らず、これがパンツ型の使い捨ておむつであってもよく、また、幼児用のトレーニングパンツ、さらにまた失禁パッド等の、当分野で公知の吸収性物品の製造方法及びその方法により製造された吸収性物品に適用できるものである。
【図面の簡単な説明】
【００９０】
【図１】本発明の第１実施形態に係るテープ式紙おむつの展開平面図である。
【図２】図１のＩ−Ｉ断面図である。
【図３】表面シートの拡大図である。
【図４】表面シートの変更例を示す拡大図である。
【図５】表面シートの他の変更例を示す拡大図である。
【図６】表面シートのさらに別の変更例を示す拡大平面図である。
【図７】表面シートのさらに別の変更例を示す拡大平面図である。
【図８】表面シートのさらに別の変更例を示す拡大平面図である。
【図９】表面シートのさらに別の変更例を示す拡大平面図である。
【図１０】表面シートのさらに別の変更例を示す拡大平面図である。
【図１１】本発明の第２実施形態に係るパンツ型の紙おむつの展開平面図である。
【図１２】図１１に示す紙おむつの着用時における斜視図である。
【図１３】図１１のＸＩ−ＸＩ断面図である。
【図１４】図１１に示す紙おむつを肌当接面側から見た要部拡大平面図である。
【図１５】吸収体の変更例を示す平面図である。
【図１６】吸収体の変更例を示す断面図である。
【図１７】本発明の第２実施形態の変更例に係るパンツ型紙おむつの簡略展開平面図である。
【図１８】本発明の第３実施形態に係る失禁者用パッドの着用時における斜視図である。
【図１９】図１８のＸＶＩＩＩ−ＸＶＩＩＩ断面図である。
【図２０】図１８に示すパッドを肌当接面側から見た要部拡大平面図である。
【図２１】本発明の第３実施形態の変更例に係る失禁者用パッドの幅方向における断面図である。
【図２２】従来の表面シートの拡大図である。
【符号の説明】
【００９１】
１０，１０′，１０′′          吸収性物品
１１，１１′，１１′′，１１０  表面シート
１２                            バックシート
１３                            吸水紙
１４，１４′                    吸収体
１５                            物品本体
１６，１１６                    トップシート
１７，１１７                    メッシュシート
２４                            防水フィルム
２５，１２５                    メッシュシートの開孔
２６，１２６                    シール部
３０                            吸収体の開口部
３１                            便ポケット
３２                            吸収体の透孔
３３                            吸収体の上層コアの透孔
３４                            トップシートの開孔
【図１】
2006149457.tif 000003
【図２】
2006149457.tif 000004
【図３】
2006149457.tif 000005
【図４】
2006149457.tif 000006
【図５】
2006149457.tif 000007
【図６】
2006149457.tif 000008
【図７】
2006149457.tif 000009
【図８】
2006149457.tif 000010
【図９】
2006149457.tif 000011
【図１０】
2006149457.tif 000012
【図１１】
2006149457.tif 000013
【図１２】
2006149457.tif 000014
【図１３】
2006149457.tif 000015
【図１４】
2006149457.tif 000016
【図１５】
2006149457.tif 000017
【図１６】
2006149457.tif 000018
【図１７】
2006149457.tif 000019
【図１８】
2006149457.tif 000020
【図１９】
2006149457.tif 000021
【図２０】
2006149457.tif 000022
【図２１】
2006149457.tif 000023
【図２２】
2006149457.tif 000024